(57)【要約】【課題】ユーザーが直接入力しないリアルタイムデータをバランス良く組み込んだラベルを効率良く作成することができるテープ印刷装置の印刷方法を提供すること。【解決手段】編集表示ステップＳ１５と、更新ステップＳ１６と、印刷ステップＳ１９とを含み、編集表示ステップＳ１５では、リアルタイムデータ取得部９２が取得したリアルタイムデータとユーザーの入力データとを視覚的に区別したデータ編集画面３５をディスプレイ１６に表示し、更新ステップＳ１６では、ディスプレイ１６のリアルタイムデータをリアルタイムに更新し、印刷ステップＳ１９では、印刷指示を受け付けた時にリアルタイムデータ取得部９２が取得したリアルタイムデータを処理テープＴに印刷する。【選択図】図１０
2010221633.tif 000002
【特許請求の範囲】
【請求項１】
入力部、リアルタイムデータ取得部、表示部及び印刷部を備え、入力データ及びリアルタイムデータをテープ状の印刷対象物に印刷するテープ印刷装置による印刷方法であって、
前記リアルタイムデータ取得部が取得したリアルタイムデータと、前記入力部から入力された入力データと、を視覚的に区別したデータ編集画面を前記表示部に表示する編集表示ステップと、
前記表示されたリアルタイムデータをリアルタイムに更新する更新ステップと、
印刷指示を受け付けた時に前記リアルタイムデータ取得部が取得したリアルタイムデータと、前記入力部から入力された入力データとを、前記印刷対象物に印刷する印刷ステップと、を含むことを特徴とする印刷方法。
【請求項２】
前記編集表示ステップで表示されるリアルタイムデータは、データ編集時の日付及び時刻の少なくとも何れかのデータであり、
前記印刷対象物に印刷されるリアルタイムデータは、前記印刷指示を受け付けた時の日付及び時刻の少なくとも何れかのデータであることを特徴とする請求項１に記載の印刷方法。
【請求項３】
前記編集表示ステップにおいて、以下の何れかによって前記リアルタイムデータと前記入力データとを視覚的に区別して表示することを特徴とする請求項１又は２に記載の印刷方法。
（１）  前記リアルタイムデータの全てを所定の記号で囲む。
（２）  前記リアルタイムデータの個々の文字又は最初及び最後の文字に装飾を付す。
（３）  前記リアルタイムデータの個々の文字又は最初及び最後の文字の表示色を前記入力データと異なる色で表示する。
【請求項４】
入力データ及びリアルタイムデータをテープ状の印刷対象物に印刷するテープ印刷装置であって、
入力データを受け付ける入力部と、
前記リアルタイムデータを取得するリアルタイムデータ取得部と、
前記リアルタイムデータ取得部が取得したリアルタイムデータと、前記入力データと、を視覚的に区別したデータ編集画面を表示する表示部と、
前記表示されたリアルタイムデータをリアルタイムに更新するリアルタイムデータ更新部と、
印刷指示を受け付けた時に前記リアルタイムデータ取得部が取得したリアルタイムデータと、前記入力部から入力された入力データとを、前記印刷対象物に印刷する印刷部と、を有することを特徴とするテープ印刷装置。
【請求項５】
請求項１に記載の編集表示ステップ、更新ステップ及び印刷ステップを前記テープ印刷装置が備えるコンピューターに実行させることを特徴とするプログラム。
【発明の詳細な説明】
【技術分野】
【０００１】
本発明は、テープ印刷装置において、テープ状の印刷対象物に印刷されるデータと共に、日付や時刻等のリアルタイムに更新されるデータを印刷する際の、入力時における操作性を向上させる技術に関する。
【背景技術】
【０００２】
テープ印刷装置は、表現力豊かなオリジナルラベルを簡易に作製できる便利な装置である。テープ印刷装置には、文字（記号や絵文字などの表意文字も含む）入力用の操作パネル、入力文字列等を処理する情報処理部、入力結果や処理結果を表示する表示部、印刷対象であるテープを所定位置に搬送して位置決めするテープ送り機構、位置決めされたテープに文字列等を印刷する印刷機構等が設けられている。
【０００３】
テープ印刷装置には、限られた表示領域を最大限有効に活用しながらユーザーインターフェイスの向上を図るため、ユーザーが直接入力しない日付や時刻等のリアルタイムに更新されるリアルタイムデータに替えて専用の絵文字（例えば、カレンダーや時計の絵）等で表示することが行われている。
【０００４】
特許文献１には、文字（記号や絵文字などの表意文字も含む）入力用の操作パネル、入力文字列等を処理する情報処理部、入力結果や処理結果を表示する表示部、印刷対象であるテープを所定位置に搬送して位置決めするテープ送り機構、位置決めされたテープに文字列等を印刷する印刷機構に加えて、現在の日付・時刻を計時する時計機能を搭載したラベルプリンターが記載されている。
【０００５】
上記特許文献１には、図１１に示すようにキーボード部１９０及び印刷制御部３００等を備えたラベルプリンターＰが記載されている。
【０００６】
キーボード部１９０はラベルプリンターＰのキー入力部であり、キーボード部１９０により書式設定及び印刷実行指令等が入力される。また、キーボード部１９０により入力された情報は、インターフェイス２００を介して印刷制御部３００のＣＰＵ５００によって読み込まれる。
更に、ＣＰＵ５００で読み込まれた印刷データは、印刷データメモリ６００に書き込まれると共に、表示ドライバ回路７００を駆動して、印刷データの内容をＬＣＤ表示部８００に表示する。
【０００７】
そして、キーボード部１９０により印刷実行指令を入力すると、ＣＰＵ５００はＲＯＭ９００の印刷制御プログラムに従ってモータードライバー回路１００を制御し、送りモーター１１０を駆動してラベル（剥離紙付き粘着テープ）を送りつつ、印刷データメモリ６００の文書データに基づいてドットパターンデータをヘッドドライバー回路１２０に出力して、サーマルヘッド１３０によってラベル印刷が行われる。
また、ＣＰＵ５はラベル印刷の開始時と終了時に、カッタードライバー回路１４０を駆動して、カッター１５０によりラベルを所定位置にて切断（又は半切断）する。
【０００８】
ラベルプリンターＰには、現在の年月日・時刻を常時計測する時計（電子時計）１６０が搭載され、この時計１６０により計測されたタイム情報は、計時値入力部を兼ねたバッファーメモリー４００に入力される。
【０００９】
より詳しくは、現在の年月日・時刻の内容を示す数字１０個を取り出して、１０個の数字（先頭の０を含む）がバッファーメモリー４００に記憶される。尚、年を示す数字は西暦を示す下位２桁の数字、或いは、平成の年度を示す２桁の数字が採用される。同様に、月、日、時及び分についても全て２桁の数字（先頭の０を含む２ビット）が採用される。
【００１０】
更に、このラベルプリンターＰの印刷制御部３００には、印刷データ生成部１７０及び印刷データ出力部１８０が設けられている。この印刷データ生成部１７０は、バッファーメモリー（計時値入力部）４００に入力された１０個の計時値について食料品の管理番号の印刷データを生成する。
前記計時値と１対１に対応する１０個の数字の印刷データに自動変換して生成する。具体的には、年・月・日・時・分を示す各２桁の数値に区分して、区分毎の各数値に「１１」を加算することで、新たな１０個の数字の印刷データを生成する。
【００１１】
又、印刷データ出力部１８は、該印刷データ生成部１７０により変換された印刷データ、即ち、変換処理後の１０個の数字の印刷データをサーマルヘッド１３０に出力する。すると、サーマルヘッド１３０は前記印刷データに基づき、変換後の１０個の数字を当該食料品の管理番号としてラベル印刷する。
【００１２】
次に、青果物用ラベルに具体的な管理番号を印刷する手順について詳述する。いま、時計１６０により現在の年月日・時刻が２００６年０８月１８日午前１０時４５分と計測されたとする。このとき、図１２（ａ）に示すように時計１６０よりバッファーメモリー４に１０個の数字「０６０８１８１０４５」が記憶される。
【００１３】
次に、前記変換後の１０個の数字は印刷データ生成部１７０に送信されて、印刷データ生成部１７において年・月・日・時・分を夫々示す２桁の数値に区分する。そして、区分ごとの２桁の数値に「１１」が加算されることで、図１２（ｂ）に示すように１０個の数字「１７１９２９２１５６」の印刷データが算出される。然る後、この印刷データは印刷データ出力部１８０によりサーマルヘッド１３に出力されることによって、青果物のラベルに数字（管理番号）「１７１９２９２１５６」が印刷される。
【先行技術文献】
【特許文献】
【００１４】
【特許文献１】特開２００８−３６８８８号公報
【発明の概要】
【発明が解決しようとする課題】
【００１５】
上記のように、従来の現在の日付・時刻を計測する時計機能を搭載したラベルプリンターにおける時計機能は、ラベルの貼付された食料品の出荷後に、流通ルートや消費市場等において品質や生産元などについて何か問題が発生した際に必要となる管理番号の生成に利用されるもので、ラベルプリンターのＬＣＤ表示部にユーザーが認識可能な状態でリアルタイムに表示するためのものではなかった。
そのため、実際に印刷してみるまでは、日付・時刻等のリアルタイムデータが組み込まれたラベルの仕上がりイメージ（印刷イメージ）を把握することが難く、リアルタイムデータをバランス良く組み込んだラベルを効率良く作成することが困難であった。
【００１６】
本発明は上記課題を解決するためになされたものであって、テープ印刷装置において、実際に印刷せずとも、ユーザーが入力したデータにユーザーが直接入力しない日付や時刻等のリアルタイムデータが組み込まれたラベルの仕上がりイメージ（印刷イメージ）をユーザーが作業途中で容易に把握することができ、リアルタイムデータをバランス良く組み込んだラベルを効率良く作成することができるテープ印刷装置の印刷方法、テープ印刷装置及びプログラムを提供することを目的とする。
【課題を解決するための手段】
【００１７】
上記課題を解決することのできる本発明は、入力部、リアルタイムデータ取得部、表示部及び印刷部を備え、入力データ及びリアルタイムデータをテープ状の印刷対象物に印刷するテープ印刷装置による印刷方法であって、
前記リアルタイムデータ取得部が取得したリアルタイムデータと、前記入力部から入力された入力データと、を視覚的に区別したデータ編集画面を前記表示部に表示する編集表示ステップと、前記表示されたリアルタイムデータをリアルタイムに更新する更新ステップと、印刷指示を受け付けた時に前記リアルタイムデータ取得部が取得したリアルタイムデータと、前記入力部から入力された入力データとを、前記印刷対象物に印刷する印刷ステップと、を含むことを特徴とする。
上記構成によれば、ユーザーは、実際に印刷せずに、データ編集画面の表示を確認するだけで、ユーザーが入力したデータにリアルタイムデータが組み込まれたラベルの仕上がりイメージを、容易に把握することができる。このため、仕上がりイメージを確認するために作業途中で試し印刷等をする必要がなく、リアルタイムデータをバランス良く組み込んだラベルを効率良く作成することができる。
【００１８】
また本発明のテープ印刷装置による印刷方法において、前記編集表示ステップで表示されるリアルタイムデータは、データ編集時の日付及び時刻の少なくとも何れかのデータであり、
前記印刷対象物に印刷されるリアルタイムデータは、前記印刷指示を受け付けた時の日付及び時刻の少なくとも何れかのデータであることを特徴とする構成とすると良い。
上記構成によれば、データ編集時と印刷時とがずれている場合でも、印刷対象物に印刷されるリアルタイムデータは自動的に印刷時の最新のリアルタイムデータに更新されて印刷される。例えば、一定期間毎に出荷する商品に貼付するラベルを、各出荷時期にその都度印刷するような場合でも、出荷日時の印刷部位にリアルタイムデータを割り当てておくことで、出荷時期毎に日時等のデータを修正するデータ入力作業が必要なく、最初の出荷時期に作成したラベルデータを使い回すことができ、効率良く、ラベル作成をすることができる。
【００１９】
また本発明のテープ印刷装置による印刷方法において、以下の（１）〜（３）の何れかによって前記リアルタイムデータと前記入力データとを視覚的に区別して表示することを特徴とする。
（１）  前記リアルタイムデータの全てを所定の記号で囲む。
（２）  前記リアルタイムデータの個々の文字又は最初及び最後の文字に装飾を付す。
（３）  前記リアルタイムデータの個々の文字又は最初及び最後の文字の表示色を前記入力データと異なる色で表示する。
上記構成によれば、ラベルに印刷するリアルタイムデータは、囲み記号、又は文字装飾、又は文字色によって、視覚的にユーザーの入力データとは区別して表示されるため、データ入力作業中等に、リアルタイムデータの確認作業が容易になり、リアルタイムデータの配置調整等の作業を容易にすることができる。
【００２０】
また、上記課題を解決することのできる本発明は、入力データ及びリアルタイムデータをテープ状の印刷対象物に印刷するテープ印刷装置であって、
入力データを受け付ける入力部と、前記リアルタイムデータを取得するリアルタイムデータ取得部と、前記リアルタイムデータ取得部が取得したリアルタイムデータと、前記入力データと、を視覚的に区別したデータ編集画面を表示する表示部と、前記表示されたリアルタイムデータをリアルタイムに更新するリアルタイムデータ更新部と、印刷指示を受け付けた時に前記リアルタイムデータ取得部が取得したリアルタイムデータと、前記入力部から入力された入力データとを、前記印刷対象物に印刷する印刷部と、を有することを特徴とする。
上記構成によれば、実際に印刷せずとも、データ編集画面の表示を確認するだけで、ユーザーが入力したデータにリアルタイムデータが組み込まれたラベルの仕上がりイメージを、容易に把握することができる。このため、仕上がりイメージを確認するために作業途中で試し印刷等をする必要がなく、リアルタイムデータをバランス良く組み込んだラベルを効率良く作成するテープ印刷装置を提供することができる。
【００２１】
また、上記課題目的を解決することのできる本発明は、上記に記載の編集表示ステップ、更新ステップ及び印刷ステップを前記テープ印刷装置が備えるコンピューターに実行させることを特徴とする。
上記構成によれば、テープ印刷装置に備えられているコンピューターに本発明のプログラムをインストールすることで、上記に記載のテープ印刷装置による印刷方法が実施可能になり、上記に記載のテープ印刷装置による印刷方法の普及・利用を容易にすることができる。
【図面の簡単な説明】
【００２２】
【図１】本実施形態のテープ印刷装置の概観斜視図である。
【図２】図１に示したテープ印刷装置の開閉蓋が開いた状態の概観斜視図である。
【図３】ディスプレイの構成を示す模式図である。
【図４】テープ印刷装置の内部構成を示したブロック図である。
【図５】テープ印刷装置の制御部が実現する機能を示した機能ブロック図である。
【図６】データ編集画面上のテキスト入力状態の説明図である。
【図７】ディスプレイに表示される日付・時刻設定メニュー画面の説明図である。
【図８】図７において「自動時刻」を選択したときの表示選択画面の説明図である。
【図９】図７で選択した「自動時刻」の表示形式で、リアルタイムデータを表示したデータ編集画面の説明図である。
【図１０】本実施形態のテープ印刷装置による印刷方法の流れを示すフローチャートである。
【図１１】従来のラベルプリンターの説明図である。
【図１２】（ａ）は年・月・日・時・分をそれぞれ２桁の数値で示した１０桁のタイム情報の説明図、（ｂ）は（ａ）のタイム情報を規定のルールで暗号化した１０桁の管理番号の説明図である。
【発明を実施するための形態】
【００２３】
以下、添付の図面を参照しながら、本発明のテープ印刷装置について説明する。本実施形態のテープ印刷装置１は、ディスプレイに表示される画像編集画面上で印刷レイアウトを編集し、テープ状の印刷媒体に印刷画像の印刷を行った後、印刷済みのテープの後端を切断して、ラベルを作成するものである。
【００２４】
図１及び図２に示すように、テープ印刷装置１は、処理テープＴに対して印刷処理を行う装置本体２と、処理テープＴ及びインクリボンＲを収容し、装置本体２に着脱自在に装着されるテープカートリッジＣとを備えている。
【００２５】
装置本体２は、装置ケース１１により外殻が形成され、装置ケース１１の前半部上面には、各種キーを備えたキーボード１２が配設されている。装置ケース１１の後半部左上面には、開閉蓋１３が広く設けられ、開閉蓋１３の上面には、テープカートリッジＣの装着／非装着を視認するための覗き窓１４が形成されると共に、開閉蓋１３の前側にはこれを開放する蓋体開放ボタン２０が設けられている。装置ケース１１の後半部右上面には、キーボード１２からの入力結果等を表示する長方形のディスプレイ１６が形成されている。
【００２６】
蓋体開放ボタン２０を押して開閉蓋１３を開放すると、その内部には、テープカートリッジＣが装着されるカートリッジ装着部１７が窪入形成されている。カートリッジ装着部１７には、その隅部に、複数のマイクロスイッチ等で構成されたテープ識別センサー１８（図４参照）が配設されている。
【００２７】
さらに、カートリッジ装着部１７には、発熱素子を有する印刷ヘッド２１が設けられている。テープカートリッジＣを装着すると、印刷ヘッド２１が、処理テープＴ及びインクリボンＲを挟んで、テープカートリッジＣに設けられたプラテンローラー２６に当接し、印刷待機状態となる。そして、印刷送りモーター２２（図４参照）やギヤ列等で構成された動力伝達機構（図示省略）により処理テープＴ及びインクリボンＲを送りながら、処理テープＴに印刷処理（インクリボンＲから処理テープＴへのインクの感熱転写）が行われる。
【００２８】
装置ケース１１の左側部には、カートリッジ装着部１７と装置外部とを連通するテープ排出口２３が形成され、このテープ排出口２３に臨んで装置ケース１１には、カッターモーター２５（図４参照）により駆動するカッターユニット２４が内蔵されており、これにより、印刷処理後の処理テープＴの後端が切断され、テープ片が作成される。
【００２９】
装置ケース１１の右側部には、図示は省略するが、電源供給のための電源供給口と、不図示のパソコン等の外部装置に接続するためのコネクタとが形成されている。このため、テープ印刷装置１は、自身のキーボード１２からの入力データに基づいて作成された印刷画像のほか、パソコン等によって作成された印刷画像を取得して、これを処理テープＴに印刷することも可能である。また、図示省略したが、装置ケース１１の内部には、テーププリンタ１を統括制御する制御部６０（後述する）を構成する回路基板が搭載されている。
【００３０】
処理テープＴは、裏面に粘着剤が塗着された記録テープＴ１と、この粘着剤により記録テープＴ１に貼付された剥離テープＴ２とから構成されている。そして、ユーザーは、印刷処理後に切り離された処理テープＴのテープ片から、剥離テープＴ２を引き剥がし、記録テープＴ１を被貼着物に貼付することができる。
【００３１】
なお、カートリッジケース２７の裏面には、小さな複数の被検出孔（図示省略）が形成され、上記のテープ識別センサー１８によってこの複数の被検出孔が認識され、処理テープＴの種別（例えば、テープ幅）を識別できるようになっている。
【００３２】
ディスプレイ１６は、ドットマトリクス型の液晶表示装置で構成されており、例えば、長方形の形状の内側に、表示画像データを表示可能な表示画面３１と、各種設定状況等を表示する複数のインジケータ（図示省略）とを有し、ユーザーがキーボード１２からデータを入力して、印刷画像（印刷データ）を作成・編集したり、その結果等を視認したりする際に用いられる。
【００３３】
図３に示すように、ディスプレイ１６は横長の表示画面を有しており、ディスプレイ１６上には、デフォルト画面（初期画面）として、入力・編集画面が表示されている。入力・編集画面は、下部に設定されると共に入力編集を行うための入力編集領域２４ａと、上部に設定されると共に印刷レイアウトを逐一表示するレイアウト表示領域２４ｂと、を備えている。なお、印刷レイアウトは、文字未入力の状態においては、白紙のレイアウトを表示すると共に、入力した確定文字列８３に基づいて、任意の文字列のレイアウトを表示する。
【００３４】
入力編集領域２４ａには、キーボード１２から入力された文字列が横書きに表示され、文字列が複数行に亘る場合には、行毎に上下に並べて表示される。入力編集領域２４ａに入力された文字列が未確定文字列である場合、文字列を陽ドットとして白黒反転表示される一方、未確定文字列が確定キーにより確定文字列８３となった場合、文字列を陰ドットとして通常表示される。また、入力編集領域２４ａには、各文字列が何行目に位置するかを表示した行頭マーク８０と、編集入力位置を指標するカーソル８１とが表示される。
【００３５】
ディスプレイ１６のレイアウト表示領域２４ｂの左側２４ｃには、検出したテープ幅と作成されるテープ長とが小さく数値表示されると共に、その数値表示の右側には、印刷レイアウトが大きく表示される。これにより、作成されるラベルの大きさ、配置バランスおよび余白領域等を印刷処理前に確認できるようになっている。
【００３６】
具体的に説明すると、図３に示すディスプレイ１６のレイアウト表示領域２４ｂには、テープ幅（１８ｍｍ）およびテープ長（１０ｃｍ）に対して、入力した確定文字列８３（「お得なセット！」）の印刷レイアウトが、テープを陽ドットとして文字を陰ドットとして白黒反転表示されている。
【００３７】
キーボード１２には、仮名キー群、数字キー群およびアルファベットキー群等を含む文字キー群のほか、各種処理を指定するための機能キー群等が配列されている。この文字キー群および機能キー群の変換キーにより、キーボード１２からは、主に、平仮名、片仮名、漢字、数字およびアルファベット等のキャラクターを入力できるようになっている。
【００３８】
機能キー群には、電源キー、印刷処理を指示するための印刷キー、文字キー群により入力されたキャラクターを変換（仮名文字→漢字等）するための変換キー、変換キーにより変換されたキャラクターの確定、改行および選択画面における選択指示のための選択キー、各種操作を取り消すための取消キー、各種処理を中止したり確定後のキャラクターを必要に応じて削除する削除キー、削除キーで削除したキャラクターを復活（貼付け）するための復活キー、「日付・時刻」等の時刻情報を入力するための時計ボタン１５ｉ（図１，２参照）、並びに、それぞれ上下左右の方向へ後述するカーソル８１（図３等参照）を移動させるための４個のカーソルキー等が含まれる。なお、これらは、キー入力毎に個別にキーを設けて入力してもよいし、シフトキー等と組み合わせてより少ない数のキーを用いて入力してもよい。キーボード１２は、これらの各種キーにより種々の指令およびデータを制御部６０に入力する。
【００３９】
次に、図４を参照し、テープ印刷装置１の内部制御について説明する。テープ印刷装置１は、操作部６１と、検出部６２と、印刷部６３と、切断部６４と、駆動部６５と、これら各部に接続して、テープ印刷装置１全体を制御する制御部６０と、を有している。
【００４０】
操作部６１は、キーボード１２上の文字入力キー、機能キー等からのデータ入力や、印刷データ等のディスプレイ１６への表示等、ユーザーインターフェイスとして機能する。検出部６２は、テープ識別センサー１８を有し、処理テープＴ（テープカートリッジＣ）の種別を検出する。印刷部６３は、テープカートリッジＣ、印刷ヘッド２１および印刷送りモーター２２を有し、処理テープＴおよびインクリボンを搬送しながら処理テープＴ上に、生成された印刷データに基づいて、印刷ヘッド２１により印刷を行う。切断部６４は、処理テープＴを切断するフルカッター３４及びこれを駆動するカッターモーター２５からなるカッターユニット２４を有し、印刷部６３で印刷処理済みの処理テープＴを所定の長さとなるように切断し、ラベルを作成する。駆動部６５は、ディスプレイドライバー６６、ヘッドドライバー６７、印刷送りモータードライバー６８およびカッターモータードライバー６９を有し、各部を駆動する。
【００４１】
制御部６０は、ＣＰＵ（Central Processing Unit）７１と、ＣＰＵ７１で各種制御処理を行うための制御プログラムを有するＲＯＭ（Read Only Memory）７２と、各種制御処理の作業領域となるＲＡＭ（Random Access Memory）７３と、文字や記号等のキャラクターデータを記憶しているＣＧＲＯＭ７６（キャラクター記憶手段）と、時刻や年月日を計時し、ＣＰＵ７１からの要求に応じて時計及びカレンダーの各データを送出または設定するリアルタイムクロック７７と、テープ印刷装置１の各部と入力データや制御信号の入出力を行う入出力制御装置（以下、「ＩＯＣ：Input Output Controller」と称する）７４と、を備え、これらは互いに内部バス７５により接続されている。
【００４２】
本実施形態において制御部６０は、図５に示す各種機能を実現する。具体的には入力検出部９１、リアルタイムデータ取得部９２、入力データ処理部９３、リアルタイムデータ処理部９４、表示データ生成部９５及印刷データ生成部９６の機能を実現する。各機能はＣＰＵ７１がＲＯＭ７２に格納されたプログラムを実行することによって構成される。
【００４３】
入力検出部９１は、ユーザーがキーボード１２から入力したデータや指示を一時保存してリアルタイムデータ取得部９２や入力データ処理部９３へ送信する。
リアルタイムデータ取得部９２は、リアルタイムデータの取得要求をリアルタイムクロック７７へ送信し、取得要求に応じてリアルタイムクロック７７から送出されたリアルタイムデータを取得する。
入力データ処理部６５は、入力検出部９１が取得した入力データや指令を表示用、印刷用あるいはテープ切断用として、表示データ生成部９５、印刷データ生成部９６あるいはカッターモータードライバー６９へ振り分ける。
【００４４】
リアルタイムデータ処理部９４は、リアルタイムデータ取得部９２が取得したリアルタイムデータをディスプレイ１６に表示するため表示データ生成部９５へ出力する。また、リアルタイムデータを印刷するため印刷データ生成部９６へ出力する。
表示データ生成部９５は、リアルタイム処理部９４や入力データ処理部９３から出力される表示用のデータを受けて画面表示データを生成し、ディスプレイドライバー６６へ送信する。
印刷データ生成部９６は、リアルタイム処理部９４や入力データ処理部９３から出力される印刷用のデータを受けてラベル印刷データを生成し、ヘッドドライバー６７や印刷送りモータードライバー６８へ送信する。
【００４５】
表示データ生成部９５は、図６や図９に示すデータ編集画面３５をディスプレイ１６に表示させる。
データ編集画面３５は、画面上のカーソル８１の位置に、テキスト入力やタイム情報の挿入が可能な編集画面である。このデータ編集画面３５では、データ入力領域として、第１の行２７と、第２の行２８とが設定されている。カーソル８１は、上下（左右）キーの操作により、各データ入力領域の任意位置に移動可能である。各行２７，２８へのテキスト入力には、文字入力キーや、確定キーや削除キーが使用される。
【００４６】
図６に示した画面では、第１の行２７には入力データＤ１が表示され、第２の行２８には入力データＤ２が表示されている。入力データＤ１は、ユーザーが文字入力キーによって入力したテキスト「あいうえ」であり、入力データＤ２もユーザーが文字入力キーによって入力したテキスト「おか」である。
第２の行２８に入力されているテキストの「お」と「か」との間には、カーソル８１が位置している。
【００４７】
また、表示データ生成部９５は、編集画面の他にメニュー画面をディスプレイ１６に表示させる。図７に示す日付・時刻設定メニュー画面３７や表示形式選択画面３９をディスプレイ１６に表示させる。なお、日付・時刻設定メニュー画面３７は、ユーザーによる時計ボタン１５ｉの押下に応じて表示される。
この日付・時刻設定メニュー画面３７では、入力する情報の選択候補として、日付Ｔ１、時刻Ｔ２、自動日付Ｔ３、自動時刻Ｔ４、日時設定Ｔ５が上下に並べて表示されている。
また図７では、最上段に表示されている日付Ｔ１の欄が選択され、日付Ｔ１の項目が反転表示されている。
【００４８】
この日付・時刻設定メニュー画面３７において、選択している候補を確定すると、選択していた候補に対応するリアルタイムデータの表示形式を選ぶ表示形式選択画面３９がディスプレイ１６に表示される。
図８に示した表示形式選択画面３９は、日付・時刻設定メニュー画面３７で自動時刻Ｔ４が選択・確定されたときに、ディスプレイ１６に表示される画面で、表示形式の異なる２つのリアルタイムデータＲ１，Ｒ２が選択候補として表示されている。
例えば、図８の表示形式選択画面３９において最上段の候補を選択すると、選択されたリアルタイムデータＲ１である「１４：５４」が、図６に示したカーソル８１の位置に挿入される。
【００４９】
日付・時刻設定メニュー画面３７上での選択操作によってデータ編集画面３５に挿入される日付・時刻データ自体は、ユーザーが直接入力する数値ではなく、リアルタイムデータ取得部９４がリアルタイムクロック７７から取得した情報である。
【００５０】
図９は、表示形式選択画面３９で選択されたリアルタイムデータＲ１が、データ編集画面３５で第２の行２８に挿入された状態を示している。ここでは、第２の行２８に挿入されたリアルタイムデータＲ１の全てを所定の記号Ｓ１，Ｓ２で囲むことで、ユーザーの入力データＤ１及び入力データＤ２と視覚的に区別して表示する。
【００５１】
なお、データ編集画面３５に挿入したリアルタイムデータＲ１をユーザーの入力データと視覚的に識別する手段としての記号Ｓ１，Ｓ２は、上記実施の形態に示した記号に限らない。その他の特殊文字や記号（例えば、＊印）を利用することもできる。
【００５２】
また、リアルタイムデータを周囲の入力データと視覚的に区別する方法は、リアルタイムデータＲ１の全てを所定の記号Ｓ１，Ｓ２で囲むという方法に限らない。
例えば、リアルタイムデータの個々の文字や、最初と最後の文字に装飾を付したり、リアルタイムデータの個々の文字や、最初と最後の文字の表示色を入力データと異なる色で表示するなどの対応としても良い。
【００５３】
図９に示すように、リアルタイムデータＲ１と、ユーザーの入力データＤ１，Ｄ２とが表示されたデータ編集画面３５のイメージは、ラベルへの印刷イメージ（仕上がりイメージ）と同じものとなる。
データ編集画面３５にリアルタイムデータＲ１と、ユーザーの入力データＤ１，Ｄ２とが表示されている状態で、キーボード１２中に含まれる印刷キーが押下されると、データ編集画面３５に表示されているイメージが、処理テープＴに印刷される。
【００５４】
ただし、リアルタイムデータＲ１と入力データＤ１，Ｄ２とを視覚的に識別するためにデータ編集画面３５上に表示された記号Ｓ１，Ｓ２は、ラベル上では印刷されない。
ところで、リアルタイムデータ処理部９４は、データ編集画面３５に表示されたリアルタイムデータをリアルタイムに更新するリアルタイムデータ更新部９７を備えている。
【００５５】
データ編集画面３５に表示されるリアルタイムデータＲ１は、データ編集時の日付や時刻データであるが、画面上のリアルタイムデータＲ１はリアルタイムデータ更新部９７により更新される。さらに、処理テープＴに印刷されるリアルタイムデータもリアルタイムデータ更新部９７により更新され、印刷キーの押下により印刷指示を受け付けた時の日付や時刻データになる。
【００５６】
次に、上記のテープ印刷装置１による印刷方法を図１０に示したフローチャートを参照して説明する。
まず、図６に示したデータ編集画面３５をディスプレイ１６表示し（ステップＳ１１）、時計ボタン１５ｉの押下によるリアルタイムデータの入力指示があるまで、ユーザーによるテキストデータの入力が行われる（ステップＳ１３：Ｎｏ，ステップＳ１２）。
入力検出部９１が時計ボタン１５ｉの押下を検出すると（ステップＳ１３：Ｙｅｓ）、入力データ処理部９３を介して表示データ生成部９５が日付・時刻設定メニュー画面３７を表示する。日付・時刻設定メニュー画面３７や表示形式選択画面３９上での選択操作に応じて、リアルタイムデータ処理部９４はリアルタイムデータ取得部９２を介してリアルタイムクロック７７からリアルタイムデータを取得する（ステップＳ１４）。
【００５７】
次に表示データ生成部９５は、図９に示したようにリアルタイムデータ取得部９４が取得したリアルタイムデータと、入力データ処理部９３から入力された入力データとを、視覚的に区別したデータ編集画面３５をディスプレイ１６に表示する（ステップＳ１５）。なお、印刷キーに押下による印刷指示を受信するまで、データ編集画面３５に表示されたリアルタイムデータは、リアルタイムデータ更新部９７により常時更新される（ステップＳ１６）。
【００５８】
ユーザーによる印刷キーの押下によって印刷指示を受けると（ステップＳ１７：Ｙｅｓ）、リアルタイムデータ取得部９２は印刷指示を受信したときのリアルタイムデータを再び取得する（ステップＳ１８）。印刷データ生成部９６は、印刷指示を受信した時に取得したリアルタイムデータと入力データ処理部９３から入力された入力データとを含み、図９に示したイメージと同じ形式の印刷データを生成し、印刷データにしたがって印刷処理を実行する（ステップＳ１９）。
【００５９】
なお、ステップＳ１５でディスプレイ１６に表示されるリアルタイムデータは、データ編集時の日付及び時刻の少なくとも何れかのデータであるが、その後、ステップＳ１６，１８で逐次リアルタイムデータの更新がなされる。最終的にステップＳ１９で処理テープＴに印刷されるリアルタイムデータは、印刷指示を受け付けた時の日付及び時刻の少なくとも何れかのデータとなる。
【００６０】
このように本実施形態のテープ印刷装置１による印刷方法では、ユーザーが入力したデータと、ユーザーが直接入力しない日付や時刻等のリアルタイムに更新されるリアルタイムデータとをディスプレイ１６のデータ編集画面３５に表示する際には、リアルタイムデータはユーザーの入力したデータとは視覚的に区別した形態で表示される。そして、データ編集画面３５に表示されたリアルタイムデータは、リアルタイムに更新される。
したがって、ラベル作成中のユーザーは、実際に印刷せずとも、データ編集画面３５の表示を確認するだけで、ユーザーが入力したデータにリアルタイムデータが組み込まれたラベルの仕上がりイメージを、作業途中で容易に把握することができる。したがって、仕上がりイメージを確認するために作業途中で試し印刷等をする必要がなく、リアルタイムデータをバランス良く組み込んだラベルを効率良く作成することができる。
【００６１】
また上記実施形態では、ステップＳ１５でディスプレイ１６に表示されるリアルタイムデータは、データ編集時の時刻データであるが、処理テープＴに印刷されるリアルタイムデータは、ステップＳ１８により、印刷指示を受け付けた時の時刻データとなる。このため、データ編集時と印刷時とがずれている場合でも、処理テープＴに印刷されるリアルタイムデータは自動的に印刷時の最新のデータに更新されて印刷される。
【００６２】
また上記実施形態では、図９に示すように、データ編集画面３５に表示するリアルタイムデータＲ１は、リアルタイムデータＲ１の全てを所定の記号Ｓ１，Ｓ２で囲むことで、入力データＤ１，Ｄ２とは視覚的に区別して表示する。このため、データ入力作業中等に、リアルタイムデータの確認作業が容易になり、リアルタイムデータの配置調整等の作業を容易にすることができる。
【符号の説明】
【００６３】
１：テープ印刷装置、２：装置本体、１１：装置ケース、１２：キーボード、１３開閉蓋、１６：ディスプレイ、１７：カートリッジ装着部、２４ａ：入力編集領域２４ａ、２４ｂ：レイアウト表示領域、、６０：制御部、６１：操作部、６２：検出部、６３：印刷部、６４：切断部、６５：駆動部、７７：リアルタイムクロック、８０：行頭マーク、８１：カーソル、８３：確定文字列、９１：入力検出部、９２：リアルタイムデータ取得部、９３：入力データ処理部、９４：リアルタイムデータ取得部、９５：表示データ生成部、９６：印刷データ生成部、Ｃ：テープカートリッジ。
【図１】
2010221633.tif 000003
【図２】
2010221633.tif 000004
【図３】
2010221633.tif 000005
【図４】
2010221633.tif 000006
【図５】
2010221633.tif 000007
【図６】
2010221633.tif 000008
【図７】
2010221633.tif 000009
【図８】
2010221633.tif 000010
【図９】
2010221633.tif 000011
【図１０】
2010221633.tif 000012
【図１１】
2010221633.tif 000013
【図１２】
2010221633.tif 000014